(57)【要約】本発明は、特に広告目的用に情報媒体を展示するための装置に関連し、その装置は、情報伝達装置（１１；２５；２７；４３；５６）を収容するためのチャンバ（１；２０；２６；３０）を有し、かつ、その内部空間を覗くことを可能にする方法で構築され、そのチャンバ内に少なくとも１つの透明板（８；１８；３７）が、見る方向に関して横断するように、チャンバの壁に取り付けられ、情報伝達装置がこの板に直接または透明板に取り付けられた支持装置を介して位置付けられ、また、チャンバの壁の少なくとも一部が、透明板に接触するそのストリップ（９；３９）に平行なストリップ（１０ａ；１０ｂ；４０）を含む。装置は、情報伝達装置（１１；２５；２７；４３；５６）または／およびその支持装置（３８，５５）が、透明板（８；１８；３７、５０）の２つの側面上に互いに向かい合わせで位置付けられ、透明板と垂直な方向から見たその投影が同一であるかまたは基本的に同一な、少なくとも２つの物体（１１ａ、１１ｂ；２５ａ、２５ｂ；２７ａ、２７ｂ）によって形成されることを特徴とする。【選択図】図１
2013528827.tif 000002
【特許請求の範囲】
【請求項１】
特に広告目的用に情報媒体を展示するための装置であって、
前記装置が情報伝達装置（１１；２５；２７；４３；５６）を収容するためのチャンバ（１；２０；２６；３０）を有し、かつ、その内部空間を覗くことを可能にする方法で構築され、
前記チャンバ内に少なくとも１つの透明板（８；１８；３７）が、見る方向に関して横断するように、前記チャンバの壁に取り付けられ、
前記情報伝達装置がこの板に直接または前記透明板に取り付けられた支持装置を介して位置付けられ、
前記チャンバの壁の少なくとも一部が、前記透明板に接触するそのストリップ（９；３９）に平行なストリップ（１０ａ；１０ｂ；４０）を含む装置であって、
前記情報伝達装置（１１；２５；２７；４３；５６）または／およびその支持装置（３８，５５）が、前記透明板（８；１８；３７、５０）の２つの側面上に互いに向かい合わせで位置付けられ、前記透明板と垂直な方向から見た投影が同一であるかまたは基本的に同一な、少なくとも２つの物体（１１ａ、１１ｂ；２５ａ、２５ｂ；２７ａ、２７ｂ）によって形成されることを特徴とする装置。
【請求項２】
前記チャンバの視点（１４、１５）と前記透明板（８）との間の距離（Ｍ）が、前記物体（１１ａ、１１ｂ；２５ａ、２５ｂ；２７ａ、２７ｂ）の間で一致する前記透明板の部分（８；１８）を覆うことを確実にするように選択されていることを特徴とする、請求項１に記載の装置。
【請求項３】
前記情報伝達装置（１１；２５；２７；４３；５６）を形成する物体（１１ａ、１１ｂ；２５ａ、２５ｂ；２７ａ、２７ｂ；３８ａ、３８ｂ；５５ａ、５５ｂ）が、前記透明板（８、１８、３７、５０）の２つの側面上、またはピン（１４）もしくは旋回軸に固定された側面からある距離（ｈ）を置いて取り付けられており、その後者に基づくか、または後者を用いて配置されている所与の場合、それらが前記物体（１１ａ、１１ｂ；２５ａ、２５ｂ；２７ａ、２７ｂ）に組み込まれたモーターで回転できることを特徴とする、請求項１または請求項２に記載の装置。
【請求項４】
チャンバの壁（２０）が２つの側壁（２３、２４）、上面（２１）および底面（２２）から形成され、かつ、前記側壁（２３、２４）および前記上面（２１）の中央部分（２３ａ、２４ａ）が不透明材料から作られており、他方、例えば、プラスチック、または表面フライス削りによって光沢を消されたガラス板などの透明材料で作られた側壁部分および上面部分（２３ｂ；２４ｂ；２１ｂ）が、こられの中央の側壁部分（２３ａ、２４ａ）および２つの側面上の中央の上面部分（２１ａ）に取り付けられていることを特徴とする、請求項１または請求項２に記載の装置。
【請求項５】
前記チャンバ（２６）が円筒形であって、その壁（２８）が輪状で、少なくともその内側面に沿って透明材料から作られていて、かつ、光源（２８ａ）がこの壁（２８）に組み込まれていることを特徴とする、請求項１〜請求項３のいずれかに記載の装置。
【請求項６】
−直立した角柱または円筒形のチャンバ（３０）の前記壁が、少なくとも部分的に透明な側壁ならびに不透明な上面（３６）および底面（３５）によって形成され、
−前記透明板（３７）が前記チャンバ内に対角線上に、または直径の方向に組み込まれており、
−少なくとも前記チャンバ（３０）の前記底面（３５）上および前記上面（３６）上に、ならびに所与の場合は、前記側壁内または前記側壁上にも、前記透明板の前記接触ストリップ（３９）の両側に沿って、ストリップ（４０）がそれに平行して走っていることを特徴とする、請求項１〜請求項３のいずれかに記載の装置。
【請求項７】
−前記チャンバ（３０）の前記壁が、互いに垂直な４つの側壁（３１、３２、３３、３４）、不透明材料で作られた上面（３６）および同じ材料で作られた底面（３５）から形成され、かつ、少なくとも２つ、または好ましくは４つ全ての側壁（３１、３２、３３、３４）が透明材料から作られており、
−前記透明板（３７）が、その下縁部が前記底面（３５）に取り付けられて、その上縁部が前記上面（３６）に取り付けられるように、前記チャンバ（３０）に対角線上に組み込まれており、
−前記底面（３５）上および前記上面（３６）上に、前記透明板（３７）の前記接触ストリップ（３９）の両側に沿って、ストリップ（４０）がそれに平行して走っていることを特徴とする、請求項６に記載の装置。
【請求項８】
前記透明板に取り付けられた前記支持装置が、浮いている前記錯視を生じる棚（３８）として構築され、その前記棚部材（３８ａ、３８ｂ）がそれらの前面を前記透明板の２つの反対側に、前記板に取り付けられたそれらの面が同一になるように固定されていて、かつ、前記棚部材（３８ａ、３８ｂ）上に、例えば、溝（４１）によって実質的に形成された、前記透明板の平面に平行して走るストリップ（４０）があることを特徴とする、請求項１〜請求項７のいずれかに記載の装置。
【請求項９】
前記透明板に取り付けられた前記支持装置が、浮いている前記錯視を生じる棒（６０）として構築され、その前記棚部材（６０ａ、６０ｂ）がそれらの前面を前記透明板の２つの反対側に、前記板に取り付けられたそれらの面が同一になるように固定されていて、かつ、前記棒部材（６０ａ、６０ｂ）上に、例えば、溝（６１ａ、６３ｂ）によって実質的に形成された、前記透明板の平面に平行して走るストリップ（６２ａ、６２ｂ）があることを特徴とする、請求項１〜請求項８のいずれかに記載の装置。
【請求項１０】
前記支持装置が、前記透明板（８；１８；３７）に作られた前記開口部（５４）の縁部に沿って固定されたフレーム（５５）であり、前記フレーム（５５）が前記透明板（８；１８；３７）の前記２つの側面上に互いに向かい合わせで、互いに重なり合い、かつ前記透明板（８；１８；３７）の前記縁部を覆うように、位置付けられたフレーム部材（５５ａ、５５ｂ）によって形成され、かつ、前記透明板（８；１８；３７）の前記開口部（５４）内で、前記情報伝達装置（１１、２５、２７、４３、５６）が、前記透明板（８；１８；３７）の１つもしくは複数の縁部および／または前記フレーム（５５）に取り付けられることを特徴とする、請求項１〜請求項９のいずれかに記載の装置。
【請求項１１】
特に広告目的用に情報媒体を展示するための装置であって、
前記装置が前記情報伝達装置を収容するためのチャンバを有し、かつ、その内部空間を覗くことを可能にする方法で構築され、少なくとも部分的に不透明材料から作られた壁をもち、透明板がその中に組み込まれて前記壁に取り付けられ、この透明板上に１つまたは複数の物体が置かれた装置であって、
前記装置が不透明材料から作られた側壁（４５）をもち、その内部を上から覗くことを可能にしたチャンバを有し、
前記チャンバ（４４）内に、前記側壁の平面または／および母線を横断するか、もしくは好ましくはそれと垂直に、透明板（５０）が、前記チャンバの壁の前記上縁部および下縁部からある距離を置いて取り付けられ、
同一または概ね同一のストリップ（５２ａ、５３ａ）が、前記側壁（４５）に接触するそのストリップ（５１ａ）に平行に、ある距離（ｌ）を置いてその２つの側面に沿って作成され、
かつ、前記情報伝達装置（４２）が前記透明板（５０）上に置かれることを特徴とする装置。
【請求項１２】
前記装置が、直立した円筒状の形状で、好ましくは円形の基部をもつチャンバ（４４）を有し、そこから内部を覗くことが可能な前記開口部が、所与の場合、透明材料で作られた上面（４６）で覆われ、かつ、好ましくは、前記チャンバが不透明材料から作られた底面（４７）をもつことを特徴とする、請求項１１に記載の装置。
【請求項１３】
前記ストリップ（５１ａ、５２ａ、５３ａ）が、前記側壁（４５）の内側面に切り込まれた溝（５１、５２、５３）によって形成され、かつ、前記透明板（５０）が前記中間の溝のうちの１つに嵌め込まれていることを特徴とする、請求項１１または請求項１２に記載の装置。
【請求項１４】
特に広告目的用に情報媒体を展示するための装置であって、
前記装置が、その内部空間を覗くことを可能にする方法で構築された、前記情報伝達装置を収容するためのチャンバを有し、前記チャンバの前記壁上に、その上に前記情報伝達装置が配置されている透明板が取り付けられている装置であって、
前記情報伝達装置（１１；２５；２７；４３；５６）および／またはその支持装置（３８，５５）が、前記透明板（８；１８；３７、５０）の２つの反対側の側面上に配置された少なくとも２つの物体（１１ａ、１１ｂ；２５ａ、２５ｂ；２７ａ、２７ｂ）で形成され、前記透明板に垂直な方向から見たそれらの投影が同一であるかまたは基本的に同一であって、かつ、
前記チャンバ（７０）の全ての壁（７１〜７５）が透明材料で作られていて、前記透明板（７７）が、向かい側のその上縁部に連結するその下縁部のうちの１つから対角線上に、前記チャンバ（７０）内を斜めに通り、
前記透明板（７７）に取り付けられた前記物体が前記棚（７８）によって形成されて、例えば、前記広告する商品（６９）を収容する働きをし、前記板の前記２つの側面上に互いに向い合わせで配置された棚部材（７８ａ、７８ｂ）から成り、
前記透明板（７７）を固定するため、前記チャンバの側壁（７１、７３）に形成された前記溝の結果として現れる前記ストリップ（７７´）に比較して横方向に、好ましくは、それらに直角に、形成されたストリップ（８０）があり、またはそれらに平行して、かつそのストリップ（８０）がこれらのストリップ（７７´）と同じ外観をもち、少なくとも前記横ストリップ（８０）の場合、それは前記棚（７８）の側面に形成されたかかるストリップと同じ線に収まることを特徴とする装置。
【請求項１５】
前記チャンバ内に、互いに平行して、互いある距離（ｌ）を置いて配置されたいくつかの透明板（８）があり、前記透明板に対して、１つまたは複数の情報伝達装置（１１）が取り付けられていることを特徴とする、請求項１〜請求項４のいずれかに記載の装置。
【請求項１６】
前記チャンバの前記内側面上にある前記透明板（８）の前記接続ストリップに平行な前記ストリップ（９１）が、前記チャンバの内部に相互に取り付けられたフレーム要素（９０）の連結のストリップとして構成され、かつ、好ましくは、前記透明板（８）に取り付けられた前記フレーム要素（９０）がそれに固定されていることを特徴とする、請求項１〜請求項５のいずれかに記載の装置。
【発明の詳細な説明】
【技術分野】
【０００１】
本発明は、情報媒体、特に、物体、主に商品および製品、または／ならびに人間の、主にサービス活動などのイベントを展示する装置に関し、好ましくは、情報伝達装置を収容するための部屋を有する、広告目的用の展示装置に関する。
【背景技術】
【０００２】
販売用に商品を広告する効率は、その商品の市場性を高め、かつ、販売数、すなわち、達成可能な利益を増加させるのに極めて重要な役割を持つ。そのため、世界中で広告を扱う専門家は、広告技法の開発に取り組み、彼らの労力の結果として、あらゆる種類の異なる解決策が、広告の効率を高めるために工夫を凝らされている。
【０００３】
例えば、メディア（新聞、ＴＶ、映画、パンフレット、ポスターなど）を通じて消費者に伝えられる、文章、写真、映画、およびそれらの組合わせなど、商品、すなわち、製品を宣伝する様々な方法が知られている。最も効率的な方法の１つは、宣伝する製品自体を、例えば、棚、台の上、ガラス製キャビネット内などに展示することである。多くの場合、展示の効率を高めようとして、すなわち、鏡および照明（光度、陰影付け、様々な色の光源の使用、例えば、振動するか、または／および動く光線、など）を用いて宣伝する。例えば、特許明細書番号ＥＰ  ０３３４  １９６は、箱形の広告装置について記載しており、その前壁は一方向に透明な鏡によって区切られ、その背面の壁は不透明な鏡である。箱の内部を２つの側面から見ることが可能な場合には、背面の壁も、前壁と同様に、一方向から透明な鏡である。鏡面が、箱の内部に向けられている。いくつかのランプが側壁に隣接して取り付けられ、互いに向かい合わせの鏡面に起因して、これらの光が、箱の側壁から遠ざかる花綱照明のように見える。背面の鏡を傾けると、花綱照明が曲がっている印象を与え、それが注意を引く。
【０００４】
特許明細書番号ＤＥ  ３  ５３５  ３９３によれば、広告の効率は、展示された製品の上側にガラス製のピラミッド形の本体、すなわち、屈折プリズムを配置することにより、および見る人の目の位置に応じてその製品の異なる映像を見せることにより、強化される。
【０００５】
特許明細書番号ＥＰ  ０  ５５１  ０５９による解決策の場合には、密閉型キャビネットが使用され、その壁は、ドアを除いて、不透明材料で作られているが、ドアは、一方向から透明な鏡で作られ、鏡面は外側に向けられている。キャビネットの内部空間は、不透明材料で作られた区切り壁で区切られた区画に分けられ、各区画にライトがある。これらのプログラム制御されたライトは、別々にオンオフされるので、常に、見えるのは異なる区画の内部、すなわち、その内部に置かれている製品である。これらの区画の内部は、鏡、つまり、ドアによって見る人から遮られているので、他の区画の内部を外側から見ることは、それらの内部のライトがオンでなければ不可能である。
【０００６】
特許明細書番号ＵＳ  ５  １８０  ２２２も、外側に向いた鏡面を有し、一方向から透明な鏡によって形成される、ひじ木（ｈｅａｄ  ｐｌａｔｅ）のあるキャビネットに関し、そのキャビネットは、横断面に正三角形の形状を有する。このキャビネットの２つの壁が、内側に向いた鏡によって形成されている。鏡面に起因して、キャビネットの内側に置かれた製品を全ての側面から見ることができ、これらの鏡面は、万華鏡のように、目の位置によって物体の像を増加させる。
【０００７】
特許明細書番号ＥＰ  １  ７５９  ３７３には、特に広告目的用に情報媒体を展示するための装置が記載されており、それは、所与の情報伝達装置を収容するのに適したチャンバを有する。このチャンバは、１つの側面を除いて、全ての側面が不透明材料から作られている壁で区切られている。透明な壁が、チャンバの内部が見えるようにする開口部の向かい側の背面の壁に並行して、ある距離を置いてその前に、周辺のストリップに沿い、それにその透明板の縁部が接触して、チャンバ内に組み込まれている。展示する情報媒体（通常、例えば、箱などの物体であり、その内容（例えば、食料品、たばこ、化粧品）が外面に展示される）が、チャンバの開口部の方から見て、透明板の前側に固定され、他方、その透明板の裏側に光源がある。チャンバを区切っている側壁は、透明板の接触ストリップ（ｃｏｎｔａｃｔ  ｓｔｒｉｐ）と平行するストリップを含む。このようにして、実際に物体を支えている透明板の線形固定／適合位置が、チャンバの内部に線のグループのメンバとして展示され、同時に、透明な支持板が、可能な限りチェンバ内のいかなる反射も避けるために背後から照らされている場合、その物体は、いかなる支持または／および吊り下げなしで浮かんでいる、錯視（ｉｌｌｕｓｉｏｎ）を生じる空間内に現れる。この結果、見る人はより関心をかき立てられ、彼らの注意は、以前に知られていた宣伝方法の場合よりもさらに一層強く引き付けられ、それは、明らかに広告の効率を著しく高める。
【発明の概要】
【発明が解決しようとする課題】
【０００８】
本発明で解決されるタスクは、特に広告目的用に情報媒体を展示するための装置を提供することであり、それは、浮かんでいる情報媒体の錯視を生じることに基づいているが、引き付ける注意、何よりも、かかる既知の前述した装置の広告効率を著しく増大させる。
【課題を解決するための手段】
【０００９】
本発明は、以下の認識に基づく：
【００１０】
浮かんでいる錯視を生じる既知の装置使用の効率性および可能性は、チャンバの１つの側面のみが開いているという事実によって制限される。広告する浮遊の錯視は、両方もしくはいくつかの側面が開いているか、または広告車両が、チャンバ内に組み込まれている透明板の両側に互いに向かい合わせで、互いに対称的に覆うように取り付けられた２つの物体によって形成されている場合は、全ての面さえ透明なチャンバを用いても生成できることが分かった。例えば、所与の製品を真ん中で切って、その二等分したものを透明板の両側に一致するように固定するか、または、物体内に組み込まれたモーターで回転さえ可能な、ガラス板内に組み込まれたピンまたは旋回軸に固定された、視覚を邪魔する、透明板から若干離れたところにそれらを配置することにより、それは実現できる。前面および背面の両方から内部を見えるようにする、２つの側面が開いているか、または全ての面さえ透明な、かかる箱またはチャンバは、そのチャンバの周囲を完全に歩くことができるので、広告の効率を著しく高め、ショーウィンドウ内に置くことにより、広告している製品を他の側面（または複数）からも見たいので、店内に入る人々を引き付け、そこで、その製品が確かに（背面の壁をもつ箱の場合に推測し得る）後ろから吊られていないことが分かる。２つの側面が透明または開いているチャンバまたは箱のもう１つ別の重要な利点は、背後の照明が必要ないことであり、なぜなら、のぞき穴の周辺部のみに配置された小さな照明器具、または、半透明材料で作られた側壁の後ろに、その外部から実施された照明で十分であり、それにより、所与の広告タスクに対して、特殊効果を生むことができる。
【００１１】
情報媒体を含む空間を使用するある場合には、チャンバの側壁の一部のみ、例えば、その中心範囲が不透明材料から作られていて、情報伝達物体を支持する透明板が、前面および背面が開いているチャンバに組み込まれている場合、全く照らす必要がないことも分かった。この場合、開口部から内部に向かって、側壁を、例えば、プラスチック（プレキシ）板などの像を変形させる透明板、またはサンドブラストによってザラザラしたかもしくは光沢を消した板から作ることができる。これには、半分に切った物体の一致が、ガラス板上で感知できず、その結果としてさらなる思いがけない効果が達成できるという利点もある。
【００１２】
既に参照した、発明力のある着想は、全ての区切り壁、または少なくとも過半数の区切り壁が、見る人が全ての面から内部を見ることができる、例えば、ガラスなどの透明材料から作られていて、見る人が浮いている情報伝達／広告装置を見る、チャンバを作成できるようにするということも分かった。例えば、上面および底面が不透明材料から作られている底が四角のチャンバを使用することができ、そのチャンバ内には、対角線の１つの方向にチャンバの全長に沿って配置された透明板があり、不透明材料から作られた上面および底面の内側面上に、透明板の平面に平行なストリップがあり、好ましくは同じ平面内に収まる。物体を配置して浮かすために、チャンバの内側に棚があり、その棚は、互いに覆うように位置付けられた同一の棚部分の表面が、互いに向かい合わせで透明シートの表面に取り付けられ、広告する物体がその上に置かれて、チャンバの内部で浮いている１つの単一棚の錯視を生じる。当然ながら、チャンバの全ての壁が透明材料から作られることも可能である。
【００１３】
前述の認識に基づき、本発明によると、設定タスクが、特に広告目的用に情報媒体を展示するための装置で解決され、その装置は、情報伝達装置を収容するためのチャンバを有し、かつ、その内部空間を覗くことができるような方法で構築され、そのチャンバ内に、そのチャンバの壁に取り付けられた、見る方向に対して横断する少なくとも１枚の透明板があり、かつ、情報伝達装置がその板上に直接またはその透明板に取り付けられた支持装置を介して位置付けられており、また、チャンバの壁の少なくとも一部が、透明板に接触するそのストリップに平行するストリップを含む装置であって、その装置は、情報伝達装置および／またはその支持装置が少なくとも２つの物体によって形成されており、それらが透明板の２つの側面に互いに向かい合わせで位置付けられ、透明板に垂直な方向から見たその投影が同一または基本的に同一であるということを特徴とする。
【００１４】
好ましくは、チャンバの視点と透明板との間の距離が、物体の間で一致する透明板の部分を覆うことを確実にするように選択される。
【００１５】
好ましい構造例によれば、情報伝達装置を形成する物体が、透明板の両側に、またはピンもしくは旋回軸に固定された側面からある距離を置いて取り付けられており、後者に基づくか、またはそれを用いて配置されている所与の場合には、物体内に組み込まれたモーターで回転できる。
【００１６】
別の構造例によれば、チャンバの壁は、上面および底面の２つの側壁によって形成され、側壁および上面の中央部分が不透明材料で作られており、他方、例えば、プラスチック、または表面フライス削りで光沢を消したガラス板などの透明材料で作られている側壁の一部および上部が、これらの中心の側壁部分および両側の中心上面部分に取り付けられている。
【００１７】
チャンバが円筒形であり、その壁が輪状であって、少なくともその内側面に沿って透明材料から作られていて、かつ光源がこの壁内に組み込まれている場合も好ましい。
【００１８】
別の構造例によれば、直立した角柱または円筒状のチャンバの壁が少なくとも一部透明な側壁および不透明な上面および底面によって形成され、その透明板がチャンバ内に対角線上または直径の方向に組み込まれており、少なくとも底面および上面上に、かつ、所与の場合には、側面上またはチャンバの側壁上にも、透明板の接触ストリップの両側に沿い、それに平行するストリップがある。この場合、実質的にチャンバの壁は、互いに垂直な４つの側壁によって形成されて、上面は不透明材料から作られ、底面は同じ材料で作られ、側壁の少なくとも２つ、または好ましくは、４つ全ての側壁が透明材料から作られており、その透明板は、その下縁部が底面に取り付けられ、その上縁部が上面に取り付けられるように、チャンバ内に対角線上に組み込まれ、底面および上面上に、透明板の接触ストリップの両側に沿い、それに平行するストリップがある。
【００１９】
チャンバが円柱状の基部または多角形の基部をもつ場合、透明板の接触ストリップに平行なストリップも側壁上に展示される必要がある。上面が透明または半透明の材料から作られている場合、同じ状況である。通常、チャンバ、すなわち、ガラスのキャビネットの基部は、随意選択であり得、ストリップを適切に配置すると、広告展示装置または支持装置の浮遊位置を確実にできる。
【００２０】
前述した全てのチャンバのバージョンで使用できる別の構造例によれば、透明板に取り付けられた支持装置は、浮かぶ錯視を生じる棚として構築され、その棚部材が、それらの表面を透明板に取り付けるような方法で、前面を向かい合わせで透明板に固定され、かつ、その棚部材上に、例えば、溝によって形成された、透明板の平面と平行なストリップがある。透明板に取り付けられた支持装置を、浮かぶ錯視を生成する棒として構築することも可能であり、その棚部材は、透明板に取り付けられたそれらの表面が同一になるように、それらの前面が透明板の両側に固定され、また、棒部材上に、例えば、溝によって形成された、透明板の平面に平行するストリップがある。支持装置が、透明板内に作られた開口部の縁部に沿って固定されたフレームである場合も、好ましくあり得、そのフレームは、透明板の両側上に互いに向かい合わせで、互いを覆うように位置付けられたフレーム部材によって形成されて、透明板の縁部を覆い、また、透明板の開口部内に、情報伝達装置が透明板の１つまたは複数の縁部および／またはフレームに取り付けられている。本発明に関する限りでは、「フレーム」または「フレーム部材」は、実質的に任意の幾何学的形態の閉曲線形状本体を意味し、それ故、それは（かかる形状の伝統的な絵画用額縁があるように）、多角形、円形、または楕円形であり得る。
【００２１】
本発明のさらなるバージョンの場合には、装置は情報伝達装置を収容するためのチャンバを有し、その内部空間を見ることができるような方法で構築され、少なくとも一部が不透明材料から作られている壁をもち、透明板がその中に組み込まれて壁に取り付けられ、この透明板上に１つまたは複数の物体が置かれており、また、その装置は、不透明材料から作られた側壁をもち、上から内部空間が覗けるようにしたチャンバを有し、そのチャンバ内にその平面を横切るか、または好ましくはそれに垂直な透明板または／および側壁の母線が、チャンバの壁の上縁部および下縁部からある距離を置いて取り付けられ、同一または概ね同一のストリップが、その両面に沿って、側壁と接触するそのストリップとある距離を置いて平行して作成され、情報伝達装置が透明板上に配置されることを特徴とする。好ましい構造例によれば、この装置は、直立した円筒状の形状で、好ましくは円形の基部のチャンバを有し、その開口部は、そこから内部を覗くことが可能であって、所与の場合には透明材料から作られた上面で覆われ、そのチャンバは、好ましくは、不透明材料から作られた底面を有する。実質的に、ストリップは、側壁の内側面に切り込まれた溝によって形成され、透明板は、中間の溝のうちの１つに嵌め込まれる。この装置の場合、チャンバは、例えば、四角柱もしくは多角形の角柱の形状を有することができるか、または三角形の基部を有することができるか、または湾曲した壁の断面から構成できるなど、円筒状以外の形状にすることができ、また、この場合にも、その透明板内の開口部を囲むフレームを、透明板内の支持装置として構築でき、そのフレームに情報伝達装置が取り付けられることを強調することを目的とする。
【００２２】
本発明の主題も、特に広告目的用に情報媒体を展示するための装置に関し、その装置は、情報伝達装置を収容する働きをし、かつその内部空間を見ることが可能な方法で設定されているチャンバを有し、その壁に対して、情報伝達装置がその上に配置されている透明板が固定されており、また、この装置の特質は、情報伝達装置および／またはその支持装置が、透明板の２つの反対側の側面上に配置されている少なくとも２つの物体から形成され、かつ透明板に対して垂直方向から見たそれらの投影が同一または本質的に同一であるということであって、また、チャンバの全ての壁が透明材料から作られており、透明板がチャンバ内を、向かい側の上縁部に連結しているその下縁部の１つから対角線上に斜めに通っていることであり、透明板に取り付けられた物体が棚によって形成され、例えば、広告する商品を収容する働きをし、板の両側に互いに向かい合わせで配置された棚部材から構成され、透明板を固定するために、チャンバの側壁に形成された溝の結果として現れているストリップと比べて横方向に、好ましくは、それらと垂直に形成されたストリップがあり、またはそれらと平行に、かつ、そのストリップがそれらと同じ外観を有し、少なくとも横方向のストリップの場合には、棚の側面に形成されたストリップなどと同じ線に収まる。
【００２３】
本発明の別の特徴によれば、互いに平行に、互いにある距離を置いて、チャンバ内に配置されたいくつかの透明板があり、それに対して、１つまたは複数の情報伝達装置が取り付けられている。
【００２４】
最後に、装置の実施形態は、チャンバの内側面上にある透明板の接続ストリップと平行なストリップが、チャンバの内側に互いに取り付けるフレーム要素の接続のストリップとして構成され、好ましくは、透明板に取り付けられたフレーム要素がそれに固定されている場合に現実的であり得る。
【００２５】
以下で、装置の好ましい構造を示す添付の図に基づき、本発明の詳細について説明する。
【図面の簡単な説明】
【００２６】
【図１】装置の構造を概略斜視図で示す。
【図２】チャンバの上面を取り除いた、図１のような装置を、一回り大きいスケールで、上面図で示す。
【図３】図２で印を付けた断面Ａを、一回り大きいスケールで示す。
【図４】図２で印を付けた断面Ｂを、一回り大きいスケールで示す。
【図５】展示する情報伝達物体を透明板に接続する、図３に示す以外の可能な方法を、横断面で示す。
【図６】装置のさらなる構造の斜視図を示す。
【図７】図６で印を付けた線Ｃ−Ｃに沿った横断面を示す。
【図８】本発明による装置のさらなる構造の斜視図を示す。
【図９】図１０で印を付けた線Ｆ−Ｆに沿った断面を示す。
【図１０】図９で印を付けた矢印ｉの方向から見た断面を示す。
【図１１】装置のさらなる構造を斜視図で示す。
【図１２】図１１で印を付けた線Ｇ−Ｇに沿った横断面を示す。
【図１３】図１２に印を付けた断面Ｋを、一回り大きいスケールで示す。
【図１４】図１１２に示す棚の好ましい構造を、一回り大きいスケールで示す。
【図１５】本発明による装置の別のバージョンを斜視図で示す。
【図１６】図１５に示す垂直な幾何学的軸を横断する断面図を示す。
【図１７】本発明による装置のさらなる構造を斜視図で示す。
【図１８】図１７に見られるようなチャンバを、上面を取り除いて、上面図で示す。
【図１９】図１７の中央部分を、一回り大きいスケールで示す。
【図２０】図１８の中央部分を、一回り大きいスケールで示す。
【図２１】図１〜図４に示す装置の構造を斜視図で示す。
【図２２】図２１に見られるような装置を、チャンバの上面を取り除いて、上面図で示す。
【図２３】図２２に印を付けた断面Ｓを、はるかに大きいスケールで別に示す。
【図２４】装置のさらなる実施形態を斜視図で示す。
【図２５】図２４による装置を、上面を取り除いて、上面図で示す。
【図２６】チャンバの全ての壁が透明である装置の実施形態を斜視図で示す。
【図２７】図２６による装置を側面図で示す。
【図２８】チャンバ内部に配置されているフレームの取付けストリップとして形成されている透明板の取付けストリップに平行なストリップを用いる構造を、斜視図で示す。
【図２９】内部から見た図２８の側面図を示す。
【図３０】互いに取り付ける位置において、この側面から見た図３０で見ることができるフレームを示す。
【発明を実施するための形態】
【００２７】
図１および図２に見られるように、この構造例によれば、装置は、長方柱の形状のチャンバ１または箱またはキャビネットを有し、その壁は、上面２、底面３（底壁）および、上面２および底面３と同様に、木製またはプラスチック板などの不透明材料から作られた側壁４、５によって形成される。この例によれば、側壁４、５に垂直なチャンバ１の端部は、例えば、ガラス製の、透明な端板（ｅｎｄ  ｐｌａｔｅ）６、７で閉じられているが、しかし、それは、機能面から理論上は必ずしも必要ではなく、基本的にそれらは、チャンバ１の内部に、端面の開口部１４、１５から手による権限のないアクセスを防ぐためであり、その開口部１４、１５を通して、２つの側面から、矢印ａ（図２）の方向からチャンバ１の内部を覗く可能性を明らかに確実にする。
【００２８】
本発明によれば、チャンバ１のＸ垂直中心平面に透明板８が固定され、側壁４、５ならびに上面２および底面３に対して直角にチャンバの鉛直断面図全体を覆い、その透明板８は、例えば、板ガラス、特に、例えば、ＣＯＮＴＵＲＡＮまたはＭＩＲＯＧＡＲＤというブランド名で商品流通している形で入手可能な無反射ガラスが好ましく、その利点は、透明板８からのあり得る反射のリスクに対して追加の安全性を提供することである。
【００２９】
図４に一回り大きいスケールで見られるように、透明板８が、連続的に取り囲んでいるチャンバ（１）の上面２、側壁４、５および底面３に切り込まれた溝１２に合わせて嵌め込まれている。
【００３０】
ストリップ９は、それに沿って長方形の透明板８の縁部が溝１２に嵌め込まれているが、チャンバ１の内側面上の開口部１４、１５（図２）を通って矢印ａの方向からチャンバ１の内部を覗いている人によって視覚的に認識でき、この構造例の場合は、図４に示す溝１３ａ、１３ｂの形で、透明板８の溝１２の両側に沿い、それらから同じｂ距離だけ離れて、ストリップ１０ａ、１０ｂがストリップ９と平行にされ、かつ同じ幅で、側壁４、５、上面２および底面３（すなわち全ての壁）を覆い、その（図４）ｄ深さおよびｃ幅は、透明板８の溝１２と同じ深さおよび幅である。この結果として、チャンバ１の内部を覗く人は、その透明性のために、溝１２がそれと平行する溝１３ａ、１３ｂと同一であると理解するので、透明板がこれらの溝（すなわち、溝１２）のうちの１つに嵌め込まれていることに気付かず、言い換えれば、見る人は、透明板８の存在に気付くことなく、３つの同一のストリップ９、１０ａ、１０ｂのみを見る。ここで、溝１３ａ、１３ｂ、ストリップ１０ａ、１０ｂの代わりに、例えば、ペイントなどにより、異なる方法でも行われ得、また、溝１２の代わりに、透明板８の縁部が、例えば、接着された薄板で、チャンバの壁の内側面に固定でき、この場合、透明板８の取付け具をある程度見えなくするために、ストリップ１０ａ、１０ｂは、それにぴったり合う構造によって形成される必要があるのは明らかであることが指摘される。透明板８のストリップ９の両側に沿って、複数のストリップ１０ａ、１０ｂが両側に作成できることも指摘される。さらに、隣接するストリップは、同じ距離だけ離れて両側に沿って作られる必要はない。
【００３１】
本発明によれば、参照番号１１で印を付けた情報伝達装置は、概して２つの物体１１ａ、１１ｂから構築されており、それらは、一回り大きいスケールで図３に示すように、この例によればその中心範囲で、透明板８の２つの反対側に取り付けられている。これによれば、長方形をした固形物１１ａ、１１ｂは、寸法の点では完全に同一であり、すなわち、それらは、一方では、ｍ高さ（図２）、ｅ幅およびｆ長であるが、他方では、図１〜図３で見られるように、透明板位置１８に、互いにぴったりと重なり合うように、透明板８の２つの側面に、例えば、接着剤などにより、取り付けられる。チャンバ１と透明板８の中心との間の測定されたＭ距離（すなわち、チャンバの半分の奥行き）が、図１に、より良い理解のみのために示す、物体１１ａ、１１ｂの間の薄い透明板８の部分８´が、たとえ見る人が情報伝達装置１１を斜めに見ても、チャンバの内部を開口部１４または１５を通して見る人によって見られないように選択されている場合、それは、半分に切った固体の２つの部分で形成されているが、１つの単一要素として、１つの部品のように見え、いずれの方向からチャンバを覗いても、見る人にはそれが浮いているように見える。
【００３２】
図５に示すように、物体１１ａ、１１ｂが透明板１８上に固定されていないが、その表面からわずかな距離ｈ離して配置され、透明板１８の固定位置に埋め込まれたピン１７に固定され、そこから両側に突き出ている場合、情報展示装置１１が浮いているこの錯視も生成できる。ｈ距離のサイズ（スロット幅）を選択する場合、見る人にスロットが見えないこと、すなわち、見る人が、わずかに横方向から、前面の開口部１４、１５を通して斜めに見る場合でさえ、それが物体１１ａ、１１ｂによって覆われるに違いないことを確実にするため、前述のキャビネット１のＭ幅も考慮に入れる必要がある。浮かぶ錯視を確実にするために必要なＭ幅のサイズおよびｆ距離は、例えば、モデリングにより、単純に決定できる。ここで、この場合も、物体１１ａ、１１ｂは、透明板１８と垂直に、視界内で完全に互いに重なり合う、すなわち、この板の両側で、この方向から見た物体１１ａ、１１ｂの投影が同一である必要があることが指摘される。
【００３３】
図５による解決策は、物体１１ａ、１１ｂが、例えば、ベアリングを用いてなど、回転可能な方法でピン１７に連結されている場合、それらは物体内に組み込まれたモーターの力で回転でき、それは、広告の効率を著しく高め得るという点から特に好ましい。ガラス板も回転し得、上下および横方向に選択した任意の方向に移動し得る。
【００３４】
図１〜図５に示す装置のチャンバ１は、４つの側面で不透明な壁によって区切られているので、その内部空間、すなわち、情報伝達装置１１は、照明を当てる必要があり、この構造例の場合、それは、開口部１４、１５の周辺環境に、側壁４、５ならびに底面３および上面２に取り付けられた、例えば、ＬＥＤ照明器具などの光源１６を用いて実現される。
【００３５】
基本的に、図６および図７に示す装置の構造と図１〜図５に示すものとの間の相違点は、その側壁、その上面および、所与の場合には、その底面が一部のみ不透明材料から作られていることであり、それは、所与の場合には、内部空間の人工照明を不必要にし得る。このため、図６および図７では、ストリップ９、１０ａ、１０ｂ、透明板８および溝１２、１３ａ、１３ｂなどの既に前述した要素が、図１〜図５で使用した参照番号で印を付けられているが、他方、チャンバまたはキャビネットは、全体として参照番号２０で印を付けられている。チャンバ２０の側壁２３、２４は、３つの部分から構成され、すなわち、底面全体２２、言い換えれば、底板、と同様の不透明材料から作られた中央壁部分２３ａおよび２４ａ、ならびに水平位置で、垂直壁部分２３ａ、２４ａの延長に当たる上面２１の中央上面部分２１ａである。
【００３６】
２つの側面上で、末端壁部分２３ｂおよび２４ｂが側壁の壁部分２３ａ、２４ａと連結し、その末端壁部分は、実質的に壁部分２３ａ、２４ａと同じｖ厚さで、水のように澄んでいるかまたは透明ではないが、やや半透明な材料、例えば、この手のプラスチックまたはサンドミルで艶消し処理をしたガラスから作られている。好ましくは、壁部分２３ｂ、２４ｂは、同じ長さにすべきであり、これは、中央壁部分２３ａ、２４ａと同じ長さであり得る。明らかに、壁全体２３、２４は、同じ不変の高さである。
【００３７】
図７に見られるように、この場合、浮かぶ錯視を生じるストリップ９、１０ａ、１０ｂは、壁部分２３ａ、２４ａの内側面、上面２１の下側面および底面２２の上側面に沿って連続する溝１２、１３ａ、１３ｂとして作成される。この場合も、透明板８が、図１〜図５に関連して説明したように、中央の溝１２に嵌り込み（この場合も３つの溝が使用される）、また、この例によれば、全体として参照番号２５で印を付けられ、２つの同一の半分の部分、すなわち、物体２５ａ、２５ｂから構成される情報伝達装置または器具もチャンバ２０内に展示され、物体２５ａ、２５ｂが、透明板８の２つの反対側に、例えば、接着剤などで固定されて、互いに完全に重なり合う。物体２５ａ、２５ｂも、図５に示すように、例えば、ピンまたは旋回軸を用いて透明板８に取り付けることができるのは明らかである。
【００３８】
ここで、図６および図７に示す装置のバージョンは、大規模な情報伝達装置が展示される場合に使用されるのが好ましいことが指摘される。この場合、チャンバまたはキャビネット２０は、人と同じかそれ以上の高さでさえあり得、その高さに適した幅をもつ。この場合、自然光または人工光のいずれかの周辺光だけで、情報伝達装置２５を照らすのに十分であり得、これは、半透明の壁部分２３ｂ、２４ｂおよび上部分２１ｂを通過する光によって適切に見えるようにできる。前面の開口部１４、１５の周辺範囲（図１および図２を参照）またはチャンバ２０内のどこかに配置された光源を使用して、それらが透明板８からの反射の結果とならず、同時に情報伝達装置２５を見事に照らすことを確実にすることも可能であることは明らかである。この場合も、好ましくは、見えないガラス板を透明板１８の材料として使用すべきである。
【００３９】
矩形基部を有する大規模なチャンバの場合、補強が必要であり得、それは、縁部に沿って伸びるフレーム部材によって形成されたフレームで解決され得る。
【００４０】
通常、大規模なチャンバは、大きな物体から構成される展示装置を備える。前述で指摘したように、広告の効率を高めるために、好ましくは、現在使用されている展示装置の可動性も確保されるべきであり、それは、例えば、摩擦車で、または装置を形成する物体に組み込まれたモーターを用いて（図５に関連する説明を参照）透明板を動かすことにより達成できる。大規模な展示装置を動かす必要がある場合は、モーターに加えて、実質的にラック機構もその中に組み込むべきであり、それは、比較的低性能モーターに連結される場合でさえ、大きな物体を動かすことを可能にする。
【００４１】
図８〜図１０に示す装置の場合、参照番号２７で印を付けた情報伝達装置は、前面の開口部１４、１５を通して、前および後ろから、すなわち、２つの側面からチャンバ２６の内部を見ることができ、また、この場合も、図１〜図５（特に、一回り大きいスケールの図３を参照）に示す透明板８の２つの反対側の側面に固定された物体２７ａ、２７ｂによって形成される。この装置と、図１〜図５に示す装置との間の相違点は、この場合、チャンバ２６が円筒の形状を有しているため、その壁、すなわちその区切り壁２８が横断面で輪状であり、また、ここでは、ストリップ９、１０ａ、１０ｂが、各々が短い線で表されるだけの溝１２、１３ａ、１３ｂによって形成され、図４に一回り大きいスケールで示す部分に示すように、透明板８が中央の溝１２に嵌り込んでいるが、壁２８が湾曲しているという点で明らかに異なっていることである。図１〜図５に示す解決策と比べてさらなる相違点は、チャンバ２６の内部空間の照明が、半透明材料で作られているか、または図１０に示す線ｊに沿って、その内側面全体にかかる材料のコーティングを施した、壁２８に組み込まれた光源によって実現されるということである。情報伝達装置２７が、チャンバ２６をどの方向から覗く人によっても浮いている物体として認識されることは明らかである。
【００４２】
図１１〜図１４に示す本発明による装置の構造例は、この場合、側壁３１、３２、３３および３４が、透明材料、好ましくは、ガラスまたはこの手のプラスチックから作られているので、上面図が正方形のチャンバ３０の内部を全ての方向から見ることができるという点において前述のものとは異なる。底面は、チャンバ３０の内部空間が不透明材料から作られた底面３５によって区切られ、他方、上面は、同じ材料で作られた上面３６によって区切られている。上面２１の側面の上部分２１ｂは、同じ材料で作ることができ、好ましくは、それらの幅は壁部分２３ｂ、２４ｂと同じにすべきであり、それは、中央の上部分２１ａと同じ幅である。この場合も、本発明の基本的に重要な基準は、図１１および図１２に太い点線で印を付けている透明板３７が、好ましくは、無反射であって、チャンバ３０の内部空間に組み込まれており、互いに完全に重なり合う棚部材３８ａ、３８ｂが、各反対側に１つずつ、それに固定され、図１４に、一回り大きいスケールで、透明板３７の一部と共に別に示すように、上面図で長方形の浮いている棚３９の錯視を共に生じるということである。この場合も、棚３８が浮いている錯視を生じる必須条件は、接触が、棚部材３８ａ、３８ｂと透明板３７、および透明板３７と底面３５または上面３６が互いに接する場所で実現されるという事実に起因して現れるストリップ３９と平行に、類似のストリップ４０が、浮いている棚３８の完全な錯視がこのように作成できるように、２つの側面上に走っている必要があるということである。図１４で特によく分かるように、この場合も、透明板３７によって引き起こされた接触の結果として作成されたストリップ３９に平行なストリップ４０は、溝４１によって形成された。
【００４３】
図１３では、透明板３７の垂直縁部３７ａが隣接する側壁３１、３４の垂直縁部３１ａ、３４ａとどのように接するかを示す。この場合、縁部の接触に起因して広いストリップ４２が作成されるので、見る人は、斜めの透明板もこの接触の一部であるとは全く推測せず、そのため、この点においても、完全な錯視が生成される。棚３８の上に置かれた展示する製品は、参照番号４３で印を付ける。それらは、透明板の２つの側面に位置付けられているが、見る人は、例えば、花瓶、宝石など、同じ棚の上に相互に隣接した２つの製品４３を見る印象をもつ。いくつかの同様な「浮いている」棚が、前述または後述する、チャンバ（ガラス製キャビネット）内に配置できることも指摘される。
【００４４】
図１５および図１６では、全体として参照番号４４で印を付けた、直立した円筒状のチャンバを備えた装置のバージョンを示し、それは、上面が開いているか、または所与の場合には透明材料の上面４６で閉じられており、底面は、不透明な円筒形の側壁４５が、同様に不透明材料から作られた底面４７で閉じられている。チャンバ１は、脚４８で立ち、情報伝達装置４９、特に広告すべき物体を展示するために使用され、それは、上から下方に向かって見ることによって見られる必要があり、すなわち、チャンバ４４の上縁部が大人の膝と腰の間にある高さに位置付けられる。この場合も、情報伝達装置４９は、浮いているかのように見える必要があり、それは、前述した例による解決策におけると同じ方法で確実にされ、すなわち、円板状の透明板５０が、水平位置で、その母線に対して直角に、チャンバ４４の側壁４５に組み込まれている。好ましくは、見えないガラスで作られた、透明板５０が、周囲に伸びる溝に嵌め込まれ、このようにして、チャンバ４４の内部を覗く人が、透明板５０自体に気付くことなく、側壁４５と溝が互いに接する場所でストリップ５１ａを見る。見る人が、透明板５０の上に置かれた情報伝達装置４９が浮いている物体という幻想を抱くために、溝５１の上下に、少なくとも各側に１本のさらなる溝５２、５３を、溝５１からｌ距離だけ離れたところに作成する必要があり、その溝５２、５３は、見る人にとっては、図１５に点線で印を付けた、ストリップ５１ａと同一のストリップ５２ａ、５３ａに見え、透明板５０をある程度「見えなく」して、広告する情報伝達装置４９が浮いているという錯視を生じる。
【００４５】
ここで、チャンバ４５は、例えば、楕円柱の形状もとることができ、また、底面を持つ必要はなく、明らかに適した品質の、既存の基部またはこの目的用に構築された基部上に建てることができ、透明な上面４６は、基本的に、チャンバ４４の内部への権限のないアクセスを防ぐために必要であることが指摘される。例えば、正方または多角形の基部など、異なる基部のチャンバを使用することも可能である。
【００４６】
本発明による装置のさらなる好ましいバージョンを、図１７〜図２０に基づいて詳述する。このバージョンは、図１１〜図１４に示すようなチャンバ３０を持ち、これは、少なくとも２つの側面からではなく、全ての側面から中を見ることが可能であり、そこで、前述した要素は、同じ参照番号で図１７〜図２０に印を付ける。図１１〜図１４に示す装置と比較して基本的な相違点は、ここでは、透明板３７に、周囲にフレーム５５のある開口部５４があるという点にある。このフレーム５５は、透明板３７の２つの側面に互いにぴったり重なり合って配置されている２つのフレーム部材５５ａ、５５ｂから構成される。一回り大きいスケールの図１９で、ｋ厚さのフレーム５５がｋ´距離だけ離れたところで透明板３９の縁部と重なり合い、そのため、透明板３９の縁部が、開口部５４の方向から見たときに覆われることが分かる。この場合、見る人は、フレーム５５が浮いているのを見るので、上で詳述した効果のメカニズムがここでも実現され、また、それは、例えば、広告する物体など、展示する情報伝達装置５６のための支持装置を形成する。この場合、この物体５６、すなわち、情報伝達装置は、フレーム部材５５ａ、５５ｂの下側のフレーム側面の間に、例えば、穿孔内に接着した、透明板３７に固定したピン５７で固定されているが、物体は、フレーム５５の下側のフレーム部分に単に置くこともでき、または、例えば、糸、チェーン、もしくは同様のものでフレーム５５の上側のフレーム部分に吊るすことも、または側面から突き出たピンもしくはブラケットのような１つの単一ピンで固定することもできる。見る人は、装置のフレーム５５が浮いている要素であると気づくので、いくつかの異なる物体をフレーム５５内に異なる方法で置くことができ、そのため、広告の効率を著しく高めることができる。
【００４７】
上の詳述に従って、フレームが浮いているという錯視を生じるために、チャンバ３０の上面の下側面および底面の上側面の両方が、図１１〜図１４に示すように、透明板３９の平面に平行して、斜めのストリップ、好ましくは、溝を含んでいる必要がある。
【００４８】
図１７〜図２０およびそれらに関する説明に基づき、図１〜図５、図６〜図７、図８〜図１０および図１５、図１６による構造例またはバージョンの場合、図１７〜図２０に示すようなフレームをもつ開口部５４は、簡単に作ることができ、現在の情報伝達装置は、このフレームに支持装置として取り付けることができることも明らかである。当業者は、前述の例で説明したように２方向から、または上から見ることができる各装置の場合、かかるフレームの付いた開口部に置かれた情報伝達装置に加えて、前述のように、透明板の２つの反対側に互いに重なり合って固定された部分からなる他の情報装置も実質的に随意の構成で配置できるのは明らかであることも分かる。
【００４９】
図２１〜図２３に示す装置の構造は、図１〜図４に示す装置と比較しての唯一の相違点が、ここでは、透明板８に固定されている情報展示装置１１を形成する物体１１ａ、１１ｂではなく、支持装置６０の円筒形支持部材６０ａ、６０ｂである解決策に関連し、その部材は、図１１〜図１４に示すような、浮いている棚３８の錯視を生じる棚部材３８ａ、３８ｂとは対照的に、任意の側面からチャンバ１の内部を覗く人のために、浮いている円筒形棒状の支持本体の錯視を共に生じ、その上に、ネックレスまたは同様の物体など、広告する情報伝達装置が吊るされる。浮かぶ錯視を生じるため、支持部材６０ａ、６０ｂは、一回り大きいスケールの図から分かるように、それらが互いにぴったり重なり合うように、透明板８の２つの側面に取り付けられる必要があり、その図では、円柱状の横断面を有する支持部材６０ａ、６０ｂの直径が、明らかに同一であって、参照番号ｄで印を付けられ、接触面が参照番号８″で印を付けられている。支持装置６０が浮いている錯視を作るため、透明板８の２つの側面に位置付けられた支持部材６０ａ、６０ｂも、接触面８″の線に、すなわち、透明板の平面に平行に走るストリップを含む必要があり、そのストリップは、図２１〜図２３で参照番号６２ａ、６２ｂで印を付けられており、この場合、一回り大きいスケールの図２１で見られるように、それらは好ましくも、先の構造例と同様に、溝６３ａ、６３ｂによって形成される。ここで、図１〜図４に示す情報提示要素１１が支持装置６０と交換されることは別として、図２１〜図２３に示す装置が、チャンバ１の構造および照明（光源１６ａ）ならびにその使用に関する限りにおいて、図１〜図４に示す装置に適合し、そのため、図２１〜図２３で同じ要素に印を付けるために同じ参照番号が使用されることが指摘される。
【００５０】
図２４および図２５は、図１〜図５に示すものと類似した実施形態を示し、それ故、図２４および図２５内の同じ構造要素を同様に示すために、当然、図１〜図５で使用した参照番号および文字が使用されている。相違点は、図２４および図２５による装置では、互いに距離ｔだけ離れて、垂直な中心平面Ｘに平行し、その２つの側面に対してｔ／２の距離だけ離れて、チャンバ１内に組み込まれている２枚の透明板８があることである。この場合、分離ｂを走るストリップ１０ａ、１０ｂは別として、垂直な中心平面Ｘに設置された中央ストリップ１０ｂもあり、このようにして、それらを壁２〜５に結合する透明板８の接続ストリップ９が、見る人には全く注目されない状態にする。例えば、溝の形成、軸への取付けまたは配置、回転、材料選択など、他のすべての点において、図１〜図５およびそれらに関連して記載したものは、図２４および図２５による実施形態に関しても同様に明らかに有効であることに留意されたい。図２４および図２５による装置は、幾枚かの透明板８が、様々な空間的な奥行きで配置されて、同じチャンバ１内で同時にいくつかの種類の製品を広告する可能性を提供するので、有利である。このほかに、広告の効率が、ある製品が停止している間に、別の製品が回転しているか、または製品が透明板８の移動を通して任意の方向に移動、例えば、シフトさえされて、様々な装置１１の別々の動き（例えば、回転など）を通して高められ得る。
【００５１】
図２７および図２８では、図１１〜図１４によるものに類似した実施形態を示しており、ここでは、広告する３次元の星形製品６９が、一見したところ浮いている棚７８に置かれて、チャンバ７０の内部で展示されている。主に、相違点は、図２７および図２８による装置によるチャンバ７０の側壁７１〜７４が透明材料から作られているだけでなく、底面７５および上面７６も同様に透明であり、他方、ここでは、透明板７７が、底面および上面の互いに向かい合う角または縁部７８、７９から始まって、チャンバ７０の内部を斜めに通って、そこで終わり、また、２つの側面上で、側壁７１、７３内に作られた溝に嵌り込み、その適合する線がストリップ７７´のように見えることである。角接続は、図１３に従って形成され得、それ故、それらは、見る人には視覚的に隠されたように見える。ここで、製品６９は、完全に棚７８として機能する本体によって支持され、それは、透明板７７の２つの側面上に互いに反対側に位置付けられた、２つの同一な三角形基部の角柱形をした棚部材７８ａ、７８ｂによって形成され、製品６９は棚部材７８ｂの上に載っている。このようにして、この解決策の場合、例えば、側壁７１、７３内または側壁上の溝として形成されたストリップ８０は、「見えない」棚７８も通り抜けるストリップ７７´を作る働きをし、それに平行して、ストリップ８０´も棚部材７８ａ、７８ｂの側面に現れる。これらのストリップ８０、８０´は、ストリップ７７´と垂直であり、その結果として、後者は、最大限に、見る人から視覚的に隠されているように見え、見る人は、これらのストリップ７７´、８０をパターン要素として見る。ある商品または製品の広告は、照明技術または照明効果を用いる本発明による装置を使用して増強され得る。しかし、チャンバの壁が、今まで述べた例で述べたように、不透明または透明ではなく、オニキス、マットガラス、半透明プラスチックなど、半透明材料から作られている場合は、光源をチャンバの壁の外側に配置し得、言い換えれば、チャンバの壁、すなわち、側壁または上面および／もしくは底面さえのいずれかの後ろの、例えば、ＬＥＤを内部から見ることであり、ＬＥＤは、多数の点（小さい空間要件、熱くならない、など）から有利な特性をもち、そのようにチャンバの内部空間を完全に、一見したところ「ひそかに」照らすことができ、それは、光を辺り一面に均一に受けるので、広告する製品の別個の光源による照明を不要にする。これ以外に、この照明技術を用いると、製品を支持する透明板上に投影される反射を、ライトがそれを消すので、最小限まで削減できる。かかる照明の場合、図１７〜図１９に従った広告技術は特に効果的であり、ここでは、透明板の切り抜いた部分がフレームで囲まれており、反射が現れないので、その中に物体が配置される。
【００５２】
図２８〜図３０では、一構造が見られるが、それを用いて、装置のチャンバ内で、ここでは、星形の製品６９を支持する透明板８の固定ストリップに平行なストリップの展示が、例えば、図４で示された溝ではなく、互いに固定されて、チャンバ内に入れられたか、または押し込まれた（ここでは別々に示されていない）薄壁のフレーム要素９０の、図３０の参照番号９１で示す取付け溝を通して行われる。図２９に示すように、ストリップ形成操作が実行され、それにより、フレーム要素９０が、例えば、不透明材料から作られた壁を有する所与の装置のチャンバ内に、２つの側面からｕで印を付けた矢印に従って中央に配置された透明板８に向かって、２つの内部フレーム要素９０が、それらの内側縁部が完全に透明板８に取り付けられ、次いで、２つの外部フレーム要素９０の内側縁部が内部フレーム要素９０の外側縁部に間隔を空けて取り付けられるように、次々に挿入される。このようにして、図３０に示す、前に「浮いている」製品６９のある壁面が形成される。それ故、この場合、図１〜図５に関連して説明した解決策とは対照的に、ストリップ９１は、例えば、木製のチャンバの壁に刻み込むことによる、溝として形成されず、これらのストリップ９１は、透明板８に取り付ける際に相互に、フレーム要素９０の取付け間隔によって形成される。この結果として、透明板８、特にガラス板が、その縁部と一致する溝９２の幅が、光学的に最小限まで削減され、外観上は光学的に「収縮された」ように見える。例えば、たった３ｍｍ幅のガラス板の場合、髪の毛のように細いストリップ９３が見られ、この解決策は、ガラス板に沿ったストリップが非常に薄く見えて、透明板が溝に収まっているこのストリップ９３に沿ってガラス板があるとは恐らく誰も考えないので、格別に好ましい方法で目を「欺く」。他のストリップ９１のこの幅、すなわち、フレーム９０の間の取付け溝の幅が、ストリップ９３の幅に適合でき、そのため、チャンバの内側面上の溝９１が髪の毛のように細い線に見える。従って、図２８〜図３０による構造を用いて、フレームの取付け間隔を光学的にほとんど完全に見えなくすることは可能である。フレーム要素９０の横断面は、四角形、長方形、複数面（ｍｕｌｔｉ−ｓｉｄｅｄ）、曲線状、または無定形の形状にさえすることができる。フレームの材料は、基本的に、現在の目的とする用途に従い、要求に応じて選択でき、それらの壁の厚さは実用面を考慮に入れて、選択できることに留意されたい。
【００５３】
図２８〜図３０によるストリップ形成解決策は、図１〜図３０の全ての実施形態の場合、および他の実施形態の場合にも同様に適用できることは明らかである。
【００５４】
浮かんでいる錯視の生成および以前に既知のものに基づく広告装置と比較して、本発明の利点は、２つまたは４つの側面からさえチャンバの内部を見ることが可能であり、かつ、チャンバの周囲を歩くことが可能であり、その結果として、広告の効率が著しく向上するということにある。広告の効率は、情報展示装置／支持装置を、物体内に組み込んだモーターで、もしくは摩擦円板またはラックまたは他のメカニズムを用いて、透明板全体を上下もしくは横方向に回転および／またはシフトさせることによって、間接的または直接に動かすことにより向上できる。さらに、広告の効率は、同じ透明板上にいくつかの情報展示装置および／または支持装置を取り付けることによって向上できる。
【００５５】
本発明は、上で詳述した構造に限定されるのではなく、特許請求の範囲によって定義される保護範囲内でいくつかの異なる方法で実現できることは明らかである。
【図１】
2013528827.tif 000003
【図２】
2013528827.tif 000004
【図３】
2013528827.tif 000005
【図４】
2013528827.tif 000006
【図５】
2013528827.tif 000007
【図６】
2013528827.tif 000008
【図７】
2013528827.tif 000009
【図８】
2013528827.tif 000010
【図９】
2013528827.tif 000011
【図１０】
2013528827.tif 000012
【図１１】
2013528827.tif 000013
【図１２】
2013528827.tif 000014
【図１３】
2013528827.tif 000015
【図１４】
2013528827.tif 000016
【図１５】
2013528827.tif 000017
【図１６】
2013528827.tif 000018
【図１７】
2013528827.tif 000019
【図１８】
2013528827.tif 000020
【図１９】
2013528827.tif 000021
【図２０】
2013528827.tif 000022
【図２１】
2013528827.tif 000023
【図２２】
2013528827.tif 000024
【図２３】
2013528827.tif 000025
【図２４】
2013528827.tif 000026
【図２５】
2013528827.tif 000027
【図２６】
2013528827.tif 000028
【図２７】
2013528827.tif 000029
【図２８】
2013528827.tif 000030
【図２９】
2013528827.tif 000031
【図３０】
2013528827.tif 000032
【国際調査報告】
2013528827.tif 000033
2013528827.tif 000034
2013528827.tif 000035
2013528827.tif 000036